(57)【要約】【課題】レンズ付き蓋体１に加わる衝撃力による内向鍔部３と非球面レンズ７とが溶着している界面にクラックと称される割れや亀裂、内向鍔部３と非球面レンズ７の剥離現象による気密性の低下を防止し、機械的強度と気密性に優れたレンズ付き蓋体を提供すること。【解決手段】本発明のレンズ付き蓋体１は、金属製の円筒状部材２の一方端に内側に折曲げた内向鍔部３が形成され、内向鍔部３の内側にレンズ装着孔４が形成され、円筒状部材２のもう一方端に外側に折曲げた外向鍔部５が形成され、レンズ装着孔４に溶融ガラスを溶着した非球面レンズ７が内向鍔部３から円筒状部材２の内部に延在して形成され、内向鍔部３の終端部３ａに面取り（Ｃ面加工）または円弧（Ｒ加工）が設けられたものである。【選択図】図１
2008170547.tif 000002
【特許請求の範囲】
【請求項１】
金属製の円筒状部材の一方端に内側に折曲げた内向鍔部が形成され、
前記内向鍔部の内側にレンズ装着孔が形成され、
前記円筒状部材のもう一方端に外側に折曲げた外向鍔部が形成され、
前記レンズ装着孔に溶融ガラスを溶着した非球面レンズが前記内向鍔部から前記円筒状部材の内部に延在して形成され、
前記内向鍔部の終端部に面取り（Ｃ面加工）または円弧（Ｒ加工）が設けられたことを特徴とする、レンズ付き蓋体。
【発明の詳細な説明】
【技術分野】
【０００１】
本発明は光半導体用パッケージに用いられるレンズ付き蓋体に関するものである。
【背景技術】
【０００２】
従来のレンズ付き蓋体としては、金属製の円筒状部材の一端側を内側に折曲げた内向鍔部が形成され、もう一方端側は外側に折曲げた外向鍔部が形成され、成形型内で内向鍔部に溶融ガラスを流し込んで気密性を有したレンズ付き蓋体を形成しているものがあった。（例えば、特許文献１参照）。
【０００３】
図２は、前記特許文献１に記載された従来のレンズ付き蓋体を示した断面図である。図２において、従来のレンズ付き蓋体１０１は金属製の円筒状部材１０２の一方端を内側に折曲げ内向鍔部１０３が形成され、内向鍔部１０３の内側にはレンズ装着孔１０４が形成されている。レンズ装着孔１０４から内向鍔部１０３には溶融ガラスを溶着した非球面レンズ１０５で閉塞されている。もう一方端側には外側に折曲げた外向鍔部１０６が形成され、外向鍔部１０６は主に半導体素子（図示せず）が搭載されたステム（図示せず）と接合する手段として広く用いられている抵抗溶接法の接合部として用いられていた。
【特許文献１】特開２００５−１８９４４６号公報
【発明の開示】
【発明が解決しようとする課題】
【０００４】
前記従来の構成では、レンズ付き蓋体１０１とステム（図示せず）とを接合する抵抗溶接の際に図３に示した衝撃力が加わり、その衝撃力により内向鍔部１０３と非球面レンズ１０５とが溶着している界面にクラックと称される割れや亀裂、内向鍔部１０３と非球面レンズ１０５の剥離現象が発生するという問題がある。特にレンズ装着孔１０４の端面に応力が集中し問題が生じ易い。また、ガラスクラックが経時的に進行し非球面レンズ１０５の内部から外部へと連通することで気密性の低下を招く可能性がある。
【０００５】
本発明は従来の課題を解決するものであり、封着部機械的強度と気密性に優れたレンズ付き蓋体を提供することを目的とする。
【課題を解決するための手段】
【０００６】
本発明は、上記課題を解決するために、本発明のレンズ付き蓋体は、金属製の円筒状部
材の一方端に内側に折曲げた内向鍔部が形成され、内向鍔部の内側にレンズ装着孔が形成され、円筒状部材のもう一方端に外側に折曲げた外向鍔部が形成され、レンズ装着孔に溶融ガラスを溶着した非球面レンズが内向鍔部から円筒状部材の内部に延在して形成され、内向鍔部の終端部に面取り（Ｃ面加工）または円弧（Ｒ加工）が設けられたものである。
【０００７】
かかる構成によれば、終端部端面のエッジに応力が集中することを緩和しレンズ付き蓋
体に加わる衝撃力を分散させ、内向鍔部と非球面レンズとが溶着しているに界面にクラックと称される割れや亀裂、内向鍔部と非球面レンズの剥離現象が発生することを防止出来る。
【発明の効果】
【０００８】
以上のように本発明によれば、レンズ付き蓋体のレンズ装着孔端面の非球面レンズと接触する箇所に傾斜部や円弧部を形成することにより、外部衝撃力による応力が集中することを緩和し封着部機械的強度と気密性に優れたレンズ付き蓋体を提供することができる。
【発明を実施するための最良の形態】
【０００９】
（実施の形態）
図１の（ａ）は本発明の実施の形態によるレンズ付き蓋体を示した断面図であり、図１の（ｂ）は図１の（ａ）のＡ部拡大図である。図１の（ａ）において、レンズ付き蓋体１は例えば、発光ダイオードやフォトセンサーなどを被覆するのに用いられる。
【００１０】
鉄または鉄合金として鉄−ニッケル−コバルト合金からなる金属板（図示せず）を打抜き加工や絞り加工を繰り返し円筒状部材２を形成し、その一方端を内側に折曲げた内向鍔部３が形成され、さらに、内向鍔部３の内側にはレンズ装着孔４が形成されている。もう一方端には外側に折曲げた外向鍔部５が形成されている。外向鍔部５には必要に応じプロジェクション（図示せず）と称される突起部が形成されることもある。レンズ装着孔４には耐熱性、耐薬品性に優れる硼珪酸ガラスからなる溶融ガラスを溶着した非球面レンズ７が内向鍔部３から円筒状部材２の内部延在して形成されている。レンズ装着孔４は非球面レンズ７で閉塞されている。
【００１１】
このとき、図１の（ｂ）Ａ部拡大図に示したように内向鍔部３の終端部３ａには面取り（Ｃ面加工）や円弧（Ｒ加工）が設けられており、面取り（Ｃ面加工）または円弧（Ｒ加工）は内向鍔部３の厚みの３０％から６０％程度で良く、さらには、３０％から４０％が形状加工の上で好適である。
【００１２】
これによれば、レンズ付き蓋体１とステム（図示せず）とを接合する抵抗溶接が行われる際に加わる衝撃力を分散させ、内向鍔部３と非球面レンズ７とが溶着しているに界面にクラックと称される割れや亀裂、内向鍔部３と非球面レンズ７の剥離現象が発生することを防止出来る。
【００１３】
例えば、図３に示すようなレンズ付き蓋体の外向鍔部５に圧縮力を加えながら非球面レンズが破壊した時点の圧縮力を破壊強度とする試験を実施したところ、［表１］に示すようにレンズ付き蓋体１の内向鍔部３に面取り（Ｃ面加工）を設けた場合、従来のレンズ付き蓋体に比べ平均値で１８．８Ｎから２４．８Ｎへ強度が向上した。
【表１】
2008170547.tif 000003
【産業上の利用可能性】
【００１４】
本発明はレンズ付き蓋体等に関するものであり、特に気密性が必要となる光半導体用パッケージに用いられるレンズ付き蓋体等として有用である。
【図面の簡単な説明】
【００１５】
【図１】（ａ）本発明の実施の形態１におけるレンズ付き蓋体の断面図、（ｂ）断面図（ａ）の拡大断面図
【図２】従来のレンズ付き蓋体の断面図
【図３】破壊強度試験を示す模式図
【符号の説明】
【００１６】
１    レンズ付き蓋体
２    円筒状部材
３    内向鍔部
３ａ    終端部
４    レンズ装着孔
５    外向鍔部
７    非球面レンズ
１０１    レンズ付き蓋体
１０２    円筒状部材
１０３    内向鍔部
１０４    レンズ装着孔
１０５    非球面レンズ
１０６    外向鍔部
【図１】
2008170547.tif 000004
【図２】
2008170547.tif 000005
【図３】
2008170547.tif 000006